(57)【要約】【課題】レセプトの修正漏れを適切に防止することのできるレセプト修正支援プログラム、レセプト修正支援装置、及びレセプト修正支援方法の提供を目的とする。【解決手段】コンピュータに、記憶装置に記録されているレセプトの記載事項に対する修正を受け付ける修正手順と、前記レセプトに対する修正内容に応じて必要とされる修正内容が定義され、記録装置に記録されている第一の定義情報に基づいて、前記修正手順における修正に応じて必要とされる修正内容を判定する修正内容判定手順と、前記修正内容判定手順において判定された修正内容を表示装置に表示させる修正内容表示手順とを実行させることにより上記課題を解決する。【選択図】図１０
2008226105.tif 000002
【特許請求の範囲】
【請求項１】
コンピュータに、
記憶装置に記録されているレセプトの記載事項に対する修正を受け付ける修正手順と、
前記レセプトに対する修正内容に応じて必要とされる修正内容が定義され、記録装置に記録されている第一の定義情報に基づいて、前記修正手順における修正に応じて必要とされる修正内容を判定する修正内容判定手順と、
前記修正内容判定手順において判定された修正内容を表示装置に表示させる修正内容表示手順とを実行させるためのレセプト修正支援プログラム。
【請求項２】
前記第一の定義情報は、前記レセプトの記載事項ごとに当該記載事項に対する修正内容に応じて必要とされる修正内容が定義されていることを特徴とする請求項１記載のレセプト修正支援プログラム。
【請求項３】
前記レセプトに対する記載事項の記載条件が定義され、記録装置に記録されている第二の定義情報に基づいて、前記レセプトの記載事項の記載誤りを検出する記載誤り検出手順を有し、
前記修正手順は、前記記載誤り検出手順において検出された記載誤りに係る記載事項に対する修正を受け付けることを特徴とする請求項１又は２記載のレセプト修正支援プログラム。
【請求項４】
記憶装置に記録されているレセプトの記載事項に対する修正を受け付ける修正手段と、
前記レセプトに対する修正内容に応じて必要とされる修正内容が定義され、記録装置に記録されている第一の定義情報に基づいて、前記修正手段における修正に応じて必要とされる修正内容を判定する修正内容判定手段と、
前記修正内容判定手段によって判定された修正内容を表示装置に表示させる修正内容表示手段とを有することを特徴とするレセプト修正支援装置。
【請求項５】
コンピュータが実行するレセプト修正支援方法であって、
記憶装置に記録されているレセプトの記載事項に対する修正を受け付ける修正手順と、
前記レセプトに対する修正内容に応じて必要とされる修正内容が定義され、記録装置に記録されている第一の定義情報に基づいて、前記修正手順における修正に応じて必要とされる修正内容を判定する修正内容判定手順と、
前記修正内容判定手順において判定された修正内容を表示装置に表示させる修正内容表示手順とを有することを特徴とするレセプト修正支援方法。
【発明の詳細な説明】
【技術分野】
【０００１】
本発明は、レセプト修正支援プログラム、レセプト修正支援装置、及びレセプト修正支援方法に関する。
【背景技術】
【０００２】
健康保険を利用して診療を受ける「保険診療」は、被保険者が、保険者から発行された被保険者証を保険指定された医療機関等に提示し、保険指定された医師によって行われる。保険診療では診療を行った医療機関に対して支払われる「診療報酬」が定められている。診療報酬の一部は、保険診療を受ける被保険者によって支払われ、残りは保険者から支払われる。このとき医療機関が保険者に対して診療報酬を請求するために作成する診療報酬明細書をレセプトと呼ぶ。
【０００３】
レセプトに記載の誤り（薬剤と病名の整合性不一致等）が見つかった場合、レセプトが返戻され、保険者から診療報酬の支払いが行われない等の不都合が発生する。このような事態を回避すべく、医療機関では、保険者へレセプトを提出する前に当該レセプトに誤りがないかを確認するための審査（院内審査）が行われる。
【０００４】
従来、係る審査を支援するため、レセプトをチェックし、修正箇所を画面に表示する技術が考案されている（例えば、特許文献１）。
【特許文献１】特開平１０−１４３５６２号公報
【発明の開示】
【発明が解決しようとする課題】
【０００５】
しかしながら、従来技術によれば、レセプトチェック後に各エラーを修正する必要があるが、一枚のレセプトシートに複数のエラーがある場合にはこれらを一つ一つ選択して修正する必要がある。したがって、修正漏れが発生しやすいという問題があった。
【０００６】
本発明は、上記の点に鑑みてなされたものであって、レセプトの修正漏れを適切に防止することのできるレセプト修正支援プログラム、レセプト修正支援装置、及びレセプト修正支援方法の提供を目的とする。
【課題を解決するための手段】
【０００７】
そこで上記課題を解決するため、本発明は、コンピュータに、記憶装置に記録されているレセプトの記載事項に対する修正を受け付ける修正手順と、前記レセプトに対する修正内容に応じて必要とされる修正内容が定義され、記録装置に記録されている第一の定義情報に基づいて、前記修正手順における修正に応じて必要とされる修正内容を判定する修正内容判定手順と、前記修正内容判定手順において判定された修正内容を表示装置に表示させる修正内容表示手順とを実行させることを特徴とする。
【０００８】
このようなレセプト修正支援プログラムでは、レセプトの修正漏れを適切に防止することができる。
【発明の効果】
【０００９】
本発明によれば、レセプトの修正漏れを適切に防止することのできるレセプト修正支援プログラム、レセプト修正支援装置、及びレセプト修正支援方法を提供することができる。
【発明を実施するための最良の形態】
【００１０】
以下、図面に基づいて本発明の実施の形態を説明する。図１は、本発明の実施の形態におけるレセプト修正支援装置の機能構成例を示す図である。図１において、レセプト修正支援装置１０は、電子的に記録されているレセプト（診療報酬明細書）の記載ミス（記載誤り）を検出し、その記載ミスの修正を支援するための装置であり、入出力部１１、レセプトチェック部１２、修正チェック部１３、レセプトＤＢ（Data Base）１４、レセプトチェックマスタ１５、及び修正チェックマスタ１６等を有する。
【００１１】
入出力部１１は、レセプトの表示や、レセプトに対する修正の入力等の入出力処理を制御する。レセプトチェック部１２は、レセプトＤＢ１４に蓄積されているレセプトにおける記載ミスの可能性の存在（以下、単に「記載ミス」という。）を、レセプトチェックマスタ１５を用いて検出する。レセプトチェック部１２によって検出された記載ミスの箇所は、入出力部１１によって表示される。修正チェック部１１は、記載ミスの修正に応じて必要とされる修正内容をレセプトマスタ１５及び修正チェックマスタ１６を用いて判定する。修正チェック部１３によって判定された修正内容は、入出力部１１によって表示される。
【００１２】
レセプトＤＢ１４は、電子的に記録されたレセプト（レセプトデータ）が蓄積されているデータベースである。レセプトチェックマスタ１５は、レセプトの記載条件が予め定義されているマスタデータである。修正チェックマスタ１６は、レセプトの修正内容に応じて必要とされる修正内容が予め定義されているマスタデータである。
【００１３】
図２は、本発明の実施の形態におけるレセプト修正支援装置のハードウェア構成例を示す図である。図２のレセプト修正支援装置１０は、それぞれバスBで相互に接続されているドライブ装置１００と、補助記憶装置１０２と、メモリ装置１０３と、演算処理装置１０４と、表示装置１０５と、入力装置１０６とを有するように構成される。
【００１４】
レセプト修正支援装置１０での処理を実現するプログラムは、ＣＤ−ＲＯＭ等の記録媒体１０１によって提供される。プログラムを記録した記録媒体１０１がドライブ装置１００にセットされると、プログラムが記録媒体１０１からドライブ装置１００を介して補助記憶装置１０２にインストールされる。但し、プログラムのインストールは必ずしも記録媒体１０１より行う必要はなく、ネットワークを介して他のコンピュータよりダウンロードするようにしてもよい。
【００１５】
補助記憶装置１０２は、インストールされたプログラムを格納すると共に、必要なファイルやデータ等を格納する。例えば、補助記憶装置１０２には、レセプトＤＢ１４、レセプトチェックマスタ１５、及び修正チェックマスタ１６等が記録される。
【００１６】
メモリ装置１０３は、プログラムの起動指示があった場合に、補助記憶装置１０２からプログラムを読み出して格納する。演算処理装置１０４は、メモリ装置１０３に格納されたプログラムに従ってレセプト修正支援装置１０に係る機能を実現する。表示装置１０５はプログラムによるＧＵＩ（Graphical User Interface）等を表示する。入力装置１０６はキーボード及びマウス等で構成され、様々な操作指示を入力させるために用いられる。
【００１７】
以下、レセプト修正支援装置１０の処理手順について説明する。図３は、レセプト修正支援装置による処理手順の概要を説明するためのフローチャートである。
【００１８】
ステップＳ１０において、レセプトチェック部１２は、レセプトＤＢ１４より、レセプトデータの一覧（レセプト一覧）をメモリ装置１０３上に読み込む（Ｓ１０）。
【００１９】
図４は、レセプトＤＢの構成例を示す図である。図４において、レセプトＤＢ１４は、レセプトごとに、レセプトＩＤ、患者ＩＤ、患者の氏名、氏名のカナ、患者の性別、診療科、入院患者か外来患者かの別、担当医、保険情報、セプトの提出時期、傷病名、診療情報、及び診療報酬の請求金額等のレセプトデータ（レセプトの記載事項）を管理する。診療情報は、診療行為を示す情報であり、診療行為ごとに診療区分が付加されている。診療区分は、診療行為の分類を示す情報であり、例えば、内服薬、検査、及び手術等の区分がある。
【００２０】
続いて、レセプトチェック部１２は、レセプトチェックマスタ１５を用いて、レセプトＤＢに登録されているレセプトデータの記載事項の妥当性をチェックする（Ｓ２０）。当該チェック処理の詳細については後述する。レセプトチェック部１２は、当該チェック処理によって検出された記載ミスを、レセプトごとのチェック結果データに出力する（Ｓ３０）。
【００２１】
レセプトＤＢ１４に登録されている全ての（又は所定の期間に提出された）レセプトデータについてステップＳ２０及びＳ３０の処理が完了すると（Ｓ４０でＹｅｓ）、入出力部１１は、記載ミスが検出され、ユーザによるチェック対象とされるレセプトデータの一覧画面（以下、「チェック対象一覧画面」という。）を表示装置１０５に表示させる（Ｓ５０）。
【００２２】
図５は、チェック対象一覧画面の表示例を示す図である。図５において、チェック対象一覧画面５１０には、記載ミスが検出されたレセプトデータごとに、レセプトＤＢ１４に登録されている情報のうちの一部が表示されている。
【００２３】
ユーザが、チェック対象一覧画面５１０のうち、一つの行（レセプトデータ）をダブルクリック等すると（Ｓ６０）、入出力部１１は、当該レセプトデータ（以下、「カレントレセプトデータ」）の詳細画面（以下、「レセプト詳細画面」という。）を表示させる（Ｓ７０）。
【００２４】
図６は、レセプト詳細画面の表示例を示す図である。図６において、レセプト詳細画面５２０には、レセプトのフォーマットのイメージデータ５２１上に、カレントレセプトデータに係る記載事項が合成又は重畳されて表示されている。レセプト詳細画面５２０において、画鋲アイコン５２２ａ〜５２２ｄは、記載ミスの検出によりユーザによるチェックが必要であると判定された記載事項（以下、「チェック対象事項」という。）である。すなわち、図６では、４つの記載事項がチェック対象事項とされた例が示されている。
【００２５】
続いて、ユーザによる操作に応じて、カレントレセプトデータにおける各チェック対象事項について修正処理が行われる（Ｓ８０）。この際、修正に応じて必要とされる修正内容の判定が修正チェック部１３によって行われる。当該修正処理の詳細については後述する。
【００２６】
チェック対象一覧画面５１０に表示された各レセプトデータについてステップＳ６０〜Ｓ８０までの処理が完了すると（Ｓ９０でＹｅｓ）、図３の処理は終了する。
【００２７】
続いて、図３のステップＳ２０における、レセプトチェックマスタ１５に基づくチェック処理について説明する。まず、レセプトチェックマスタ１５について説明する。図７は、レセプトチェックマスタの構成例を示す図である。
【００２８】
図７において、レセプトチェックマスタ１５の各レコードは、レセプトの記載条件ごとに、チェック事項、排他事項、必須事項、期間、回数、及び重要度等が登録されている。チェック事項は、当該記載条件において注目対象とされる記載事項である。排他事項は、チェック事項と排他的な関係にある記載事項である。したがって、チェック事項と排他事項とによって、記載事項の間における排他条件が定義される。
【００２９】
必須事項は、チェック事項がレセプトに記載されている場合に、当該レセプトに必ず記載されている必要のある事項である。したがって、チェック事項と必須事項との組み合わせによって、記載事項の間における必須条件が定義される。
【００３０】
期間、回数は、チェック事項が投薬や検査等の場合に、当該投薬や当該検査等について妥当であると判定される期間、回数の条件である。重要度は、当該レコードに係る記載条件の重要度である。重要度は、例えば、過去に返戻となった回数や、請求金額への影響度等によって定めされる。なお、排他事項や必須事項は、一つのチェック事項に対して複数登録可能である。
【００３１】
図８は、レセプトチェック部によるレセプトチェックマスタに基づくチェック処理を説明するためのフローチャートである。図８は、一つのレセプトデータに対する処理を示す。
【００３２】
ステップＳ２０１において、処理対象とされているレセプトデータについて、排他条件のチェックを行う。すなわち、レセプトチェックマスタ１５においてチェック事項と排他事項との組み合わせによって規定されている排他条件が満たされていない場合は記載ミスであるとし、当該排他条件違反に係る記載事項をチェック対象事項とする。したがって、排他条件違反が検出された場合、当該記排他条件違反に係るチェック対象事項は二つ以上となる。
【００３３】
続いて、必須条件のチェックを行う（Ｓ２０２）。すなわち、レセプトチェックマスタ１５においてチェック事項と必須事項との組み合わせによって規定されている必須条件が満たされていない場合は記載ミスであるとし、当該必須条件違反に係る記載事項チェック対象事項とする。
【００３４】
続いて、期間及び回数のチェックを行う（Ｓ２０３、Ｓ２０４）。すなわち、当該レセプトデータに係る記載事項のうち、期間又は回数がレセプトチェックマスタ１５に登録されている値と一致しない記載事項が検出された場合は記載ミスであるとし、当該記載事項をチェック対象事項とする。
【００３５】
図８の処理によって、チェック対象事項とされた記載事項に関する情報は、図３のステップＳ３０においてチェック結果データとして出力される。
【００３６】
図９は、チェック結果データの例を示す図である。図９では、一つのレセプトデータ（レセプトＩＤが「００１」のレセプトデータ）に対するチェック結果データの例が示されている。
【００３７】
チェック結果データ２０は、記載ミスごとにチェック対象事項、エラー種別、重要度、及びチェック順等の情報より構成される。
【００３８】
チェック対象事項は、当該記載ミスに係るチェック対象事項である。排他条件違反に関する記載ミスについては、複数の記載事項がチェック対象事項となる。エラー種別は、図７のレセプトチェックマスタ１５に規定されている排他条件、必須条件、期間条件、回数条件のいずれの条件に違反しているのかを示す情報である。重要度は、レセプトチェックマスタ１５において、当該記載ミスが違反している条件に係るレコードの重要度である。チェック順は、レセプト詳細画面５２０において、当該記載ミスをユーザにチェックさせる順番であり、当初は自動的に重要度順とされる。
【００３９】
なお、図９に示されるようなチェック結果データ２０に基づいて、レセプト詳細画面５２０が表示される。すなわち、チェック結果データ２０においてチェック対象事項とされている記載事項には、画鋲アイコンが表示される。また、画鋲アイコンの大きさは、重要度に応じて決定される。重要度が高いほど大きい画鋲アイコンが表示される。
【００４０】
続いて、図３のステップＳ８０における、レセプトデータの修正処理について説明する。図１０は、レセプトデータの修正処理を説明するためのフローチャートである。
【００４１】
まず、入出力部１１は、チェック結果データ２０のチェック順に従って、チェック結果データ２０に含まれるレコードのうち処理対象とするレコード（以下、「カレントレコード」という。）を決定する（Ｓ３０１）。続いて、入出力部１１は、レセプト詳細画面５２０において、カレントレコードに係るチェック対象事項を自動的に拡大表示（フォーカス）すると共に、カレントレコードに係る記載ミスの内容を示す、又は修正内容を示唆するメッセージを表示させる（Ｓ３０２）。
【００４２】
図１１は、チェック対象事項が拡大表示された例を示図である。図１１のレセプト詳細画面５２０では、図９のチェック結果データ２０の一行目のレコードに基づいて、「胃種瘤」と「ＰＳＡ精密測定」とのチェック対象事項が拡大表示されている。また、記載ミスの内容を示すメッセージとして、"病名「胃種瘤」に対し、検査「ＰＳＡ精密測定」は不適切です。返戻対象となります"というメッセージ５２５が表示されている。メッセージ５２５により、ユーザは、「胃種瘤」と「ＰＳＡ精密測定」とは排他的な関係にあること、したがって、少なくともいずれか一方を修正しなければならないことを認識することができる。なお、メッセージは、エラー種別ごとに予めテンプレートを用意しておき、当該テンプレートにカレントレコードのチェック対象事項を当てはめることにより作成すればよい。
【００４３】
続いて、ユーザによって、チェック対象事項の修正が行われる（Ｓ３０３）。例えば、図１１の例では、「ＰＳＡ精密測定」の削除が行われる。なお、レセプト詳細画面５２０において、マウスの右ボタンクリックが実行されると、「削除」、「追加」、「変更」等のメニュー項目を備えたコンテキストメニューが表示される。当該コンテキストメニューにおいて、「削除」が選択された場合、マウスカーソルが位置しているチェック対象事項が削除される。また、「追加」が選択された場合、新たな記載事項を入力させるためのダイアログが表示される。また、「変更」が選択された場合、マウスカーソルが位置しているチェック対象事項の記載内容を変更させるためのダイアログが表示される。
【００４４】
ユーザによって一つのチェック対象事項に関する修正（一回の修正操作）が入力されると、修正チェック部１３は、当該修正操作によってカレントレコードに係る記載ミスが解消されたか否かを判定する（Ｓ３０４）。例えば、当該記載ミスのエラー種別が「排他」の場合、当該排他条件違反が解消したか否かが判定される。当該記載ミスのエラー種別が「必須」の場合、当該必須条件違反が解消されたか否かが判定される。当該修正操作では、当該記載ミスは解消されない場合（Ｓ３０４でＮｏ）、修正チェック部１３は、引き続き修正操作を実行させる。
【００４５】
当該修正操作によってカレントレコードに係る記載ミスが解消された場合（Ｓ３０４でＹｅｓ）、修正チェック部１３は、チェック結果データ２０よりカレントレコードを削除し（Ｓ３０５）、当該修正をレセプトＤＢ１４に反映する（Ｓ３０６）。続いて、修正チェック部１３は、修正内容に応じて処理を分岐させる（Ｓ３０７）。
【００４６】
記載事項が削除された場合（Ｓ３０７で「削除」）、修正チェック部１３は、削除に応じたチェック処理を実行する（Ｓ３０８）。記載事項が新たに追加された場合（Ｓ３０７で「追加」）、修正チェック部１３は、追加に応じたチェック処理を実行する（Ｓ３０９）。記載事項が変更された場合（Ｓ３０７で「変更」）、修正チェック部１３は、変更前の記載事項について削除に応じたチェック処理（ステップＳ３０８と同じ処理）を実行し（Ｓ３１０）、変更後の記載事項について追加に応じたチェック処理（ステップＳ３０９と同じ処理）を実行する（Ｓ３１１）。すなわち、「変更」については、変更前の記載事項の削除と、変更後の記載事項の追加として考える。
【００４７】
チェック処理の結果、修正に応じて新たな記載ミスが検出された場合（Ｓ３１２）、当該記載ミスをチェック結果データ２０に追加する（Ｓ３１３）。この際、当該記載ミスに係るレコードのチェック順を最優先とする（例えば、チェック順を「１」とし、当該レコードをチェック結果データ２０において一番上のレコードとする。）。なお、新たな記載ミスが検出されなかった場合（Ｓ３１２でＮｏ）、チェック結果データ２０の更新（Ｓ３１３）は実行されない。
【００４８】
続いて、入出力部１１は、少なくともステップＳ３０５において更新されたチェック結果データ２０に基づいて、レセプト詳細画面５２０を再表示（表示内容の更新）させる（Ｓ３１３）。これにより、記載ミスが解消された記載事項はチェック対象事項ではなくなり、画鋲アイコンの表示は解除される。
【００４９】
チェック結果データ２０に含まれている全てのレコードについてステップＳ３０１〜Ｓ３１４までの処理が実行されると（Ｓ３１５でＹｅｓ）、図１０の処理を終了させる。なお、ステップＳ３１３において、チェック結果データ２０に新たに追加されたレコードのチェック順は最優先とされている。したがって、次に、ステップＳ３０２が実行される際は、当該レコードが処理対象とされる。
【００５０】
続いて、図１０のステップＳ３０８における、削除に応じたチェック処理について説明する。図１２は、削除に応じたチェック処理を説明するためのフローチャートである。
【００５１】
まず、修正チェック部１３は、チェック結果データ２０のレコードの中で、削除されたレコードが存在したことによる排他条件違反に係るレコード（すなわち、チェック対象事項に削除された記載事項が含まれており、エラー種別が「排他」のレコード）を削除する（Ｓ４０１）。排他条件違反は、排他関係にある記載事項の一方が削除されることにより解消されるからである。続いて、修正チェック部１６は、記載事項が削除されたことにより、レセプトチェックマスタ１５に規定されている必須条件が満たされなくなっていないか（すなわち、削除された記載事項を必須事項とする記載事項がカレントレセプトデータに存在しないか）をチェックする（Ｓ４０２）。削除された記載事項を必須事項とする記載事項がカレントレセプトデータに存在する場合、修正チェック部１３は、記載ミスを検出したとして、削除された記載事項を必須事項とする記載事項をチェック対象事項とする。
【００５２】
続いて、修正チェック部１３は、修正チェックマスタ１６に基づいて、記載事項の削除に応じて必要とされる修正を判定する（Ｓ４０３）。
【００５３】
図１３は、修正チェックマスタの内容を概念的に示す図である。図１３に示されるように、修正チェックマスタ１６には、記載事項ごとに、当該記載事項が削除された場合に必要とされる修正、及び当該記載事項が追加された場合に必要とされる修正が定義されている。例えば、図１３では、ＰＳＡ精密測定が削除された場合は、血液採取料の削除が必要であることが定義されている。したがって、図１１に示されるレセプト詳細画面５２０において、ＰＳＡ精密測定が削除された場合、修正チェック部１３は、カレントレセプトデータの記載事項として血液採取料が含まれていないかをチェックする。血液採取料が含まれている場合、記載ミスを検出したとして、血液採取料をチェック対象事項とする。この場合、図１０のステップＳ３１３において、当該記載ミスに係るレコードが追加されることにより、チェック結果データ２０は、次のように更新される。
【００５４】
図１４は、チェック結果データの更新例を示す図である。図１４のチェック結果データ２０ａにおいて、一行目のレコードが、ＰＳＡ精密測定の削除に応じて、図１３の修正チェックマスタ１６に基づいて検出された記載ミスに係るレコードである。当該レコードは、チェック対象事項として「血液採取料（静脈）」を含む。また、エラー種別は「削除」（当該記載ミスの原因となった修正操作の種別）、重要度は「Ａ」、チェック順は「１」とされている。
【００５５】
したがって、ＰＳＡ精密測定が削除され、次にステップＳ３０１が実行されるときは、図１４のチェック結果データ２０ａにおける一行目のレコードのチェック順に基づいて、当該レコードが処理対象（カレントデータ）とされる。また、ステップＳ３０２では、レセプト詳細画面５２０において、ＰＳＡ精密測定の削除によって記載ミスとなった記載事項（血液採取料（静脈））が自動的に拡大されて表示される。よって、修正に応じて、当該修正に関連する修正の入力が続けて（連続的に）促される。
【００５６】
図１５は、修正に応じて新たに記載ミスが検出され場合のレセプト詳細画面の表示例を示す図である。図１５のレセプト詳細画面５２０では、血液採取料（静脈）が拡大表示され、"「ＰＳＡ精密測定」が削除されました。「血液採取料（静脈）」は不要ではありませんか？"というメッセージ５２６が表示されている。メッセージ５２６により、ユーザは、「ＰＳＡ精密測定」の削除に応じて「血液採取料（静脈）」の削除が必要であることを認識し、適切にレセプトデータを修正することができる。
【００５７】
続いて、図１０のステップＳ３０９における、追加に応じたチェック処理について説明する。図１６は、追加に応じたチェック処理を説明するためのフローチャートである。
【００５８】
まず、修正チェック部１３は、チェック結果データ２０のレコードの中で、追加された記載事項が足りなかったことによる必須条件違反に係るレコードを削除する（Ｓ５０１）。当該記載事項が追加されることにより、当該必須条件違反は解消されるからである。続いて、修正チェック部１３は、追加された記載事項について、図８において説明した、レセプトチェックマスタ１５に基づくチェック処理を実行する（Ｓ５０２）。これにより、追加された記載事項について、排他条件及び必須条件等がチェックされ、満たされない条件が検出された場合は、記載ミスが検出されたとして当該記載ミスに係る記載事項がチェック対象事項とされる。続いて、修正チェック部１３は、修正チェックマスタ１６（図１３）に基づいて、記載事項の追加に応じて必要とされる修正を判定する（Ｓ５０３）。修正が必要な場合、修正に係る記載事項をチェック対象事項とする。
【００５９】
図１６の処理によって検出された記載ミスは、図１０のステップＳ３１３においてチェック結果データ２０に追加される。その後の処理については、記載事項が削除された場合と同様である。
【００６０】
上述したように本実施の形態におけるレセプト修正支援装置１０によれば、レセプトに対する修正が行われた場合に、その修正に応じて必要とされる修正内容が自動的に提示される。したがって、ユーザによる修正に応じて動的に変化する修正内容を適切に提示することができ、修正漏れを防止することができる。
【００６１】
また、修正事項は、順番に自動的に拡大（又はフォーカス）されるため、そのフォーカスされる順番に修正を行うことで、修正漏れが適切に防止される。
【００６２】
以上、本発明の実施例について詳述したが、本発明は斯かる特定の実施形態に限定されるものではなく、特許請求の範囲に記載された本発明の要旨の範囲内において、種々の変形・変更が可能である。
【００６３】
以上の説明に関し、更に以下の項を開示する。
（付記１）
コンピュータに、
記憶装置に記録されているレセプトの記載事項に対する修正を受け付ける修正手順と、
前記レセプトに対する修正内容に応じて必要とされる修正内容が定義され、記録装置に記録されている第一の定義情報に基づいて、前記修正手順における修正に応じて必要とされる修正内容を判定する修正内容判定手順と、
前記修正内容判定手順において判定された修正内容を表示装置に表示させる修正内容表示手順とを実行させるためのレセプト修正支援プログラム。
（付記２）
前記第一の定義情報は、前記レセプトの記載事項ごとに当該記載事項に対する修正内容に応じて必要とされる修正内容が定義されていることを特徴とする付記１記載のレセプト修正支援プログラム。
（付記３）
前記レセプトに対する記載事項の記載条件が定義され、記録装置に記録されている第二の定義情報に基づいて、前記レセプトの記載事項の記載誤りを検出する記載誤り検出手順を有し、
前記修正手順は、前記記載誤り検出手順において検出された記載誤りに係る記載事項に対する修正を受け付けることを特徴とする付記１又は２記載のレセプト修正支援プログラム。
（付記４）
前記修正内容判定手順は、更に前記第二の定義情報に基づいて、前記修正手順における修正に応じて必要とされる修正内容を判定することを特徴とする付記３記載のレセプト修正支援プログラム。
（付記５）
前記第二の定義情報には、前記レセプトに対する記載事項の間の排他関係が定義されていることを特徴とする付記３又は４記載のレセプト修正支援プログラム。
（付記６）
前記第二の定義情報には、前記レセプトに対する記載事項の間の必須関係が定義されていることを特徴とする付記３乃至５いずれか一項記載のレセプト修正支援プログラム。
（付記７）
記憶装置に記録されているレセプトの記載事項に対する修正を受け付ける修正手段と、
前記レセプトに対する修正内容に応じて必要とされる修正内容が定義され、記録装置に記録されている第一の定義情報に基づいて、前記修正手段における修正に応じて必要とされる修正内容を判定する修正内容判定手段と、
前記修正内容判定手段によって判定された修正内容を表示装置に表示させる修正内容表示手段とを有することを特徴とするレセプト修正支援装置。
（付記８）
コンピュータが実行するレセプト修正支援方法であって、
記憶装置に記録されているレセプトの記載事項に対する修正を受け付ける修正手順と、
前記レセプトに対する修正内容に応じて必要とされる修正内容が定義され、記録装置に記録されている第一の定義情報に基づいて、前記修正手順における修正に応じて必要とされる修正内容を判定する修正内容判定手順と、
前記修正内容判定手順において判定された修正内容を表示装置に表示させる修正内容表示手順とを有することを特徴とするレセプト修正支援方法。
【図面の簡単な説明】
【００６４】
【図１】本発明の実施の形態におけるレセプト修正支援装置の機能構成例を示す図である。
【図２】本発明の実施の形態におけるレセプト修正支援装置のハードウェア構成例を示す図である。
【図３】レセプト修正支援装置による処理手順の概要を説明するためのフローチャートである。
【図４】レセプトＤＢの構成例を示す図である。
【図５】チェック対象一覧画面の表示例を示す図である。
【図６】レセプト詳細画面の表示例を示す図である。
【図７】レセプトチェックマスタの構成例を示す図である。
【図８】レセプトチェック部によるレセプトチェックマスタに基づくチェック処理を説明するためのフローチャートである。
【図９】チェック結果データの例を示す図である。
【図１０】レセプトデータの修正処理を説明するためのフローチャートである。
【図１１】チェック対象事項が拡大表示された例を示図である。
【図１２】削除に応じたチェック処理を説明するためのフローチャートである。
【図１３】修正チェックマスタの内容を概念的に示す図である。
【図１４】チェック結果データの更新例を示す図である。
【図１５】修正に応じて新たに記載ミスが検出され場合のレセプト詳細画面の表示例を示す図である。
【図１６】追加に応じたチェック処理を説明するためのフローチャートである。
【符号の説明】
【００６５】
１０      レセプト修正支援装置
１１      入出力部
１２      レセプトチェック部
１３      修正チェック部
１４      レセプトＤＢ
１５      レセプトチェックマスタ
１６      修正チェックマスタ
１００    ドライブ装置
１０１    記録媒体
１０２    補助記憶装置
１０３    メモリ装置
１０４    演算処理装置
１０５    表示装置
１０６    入力装置
Ｂ    バス
【図１】
2008226105.tif 000003
【図２】
2008226105.tif 000004
【図３】
2008226105.tif 000005
【図４】
2008226105.tif 000006
【図５】
2008226105.tif 000007
【図６】
2008226105.tif 000008
【図７】
2008226105.tif 000009
【図８】
2008226105.tif 000010
【図９】
2008226105.tif 000011
【図１０】
2008226105.tif 000012
【図１１】
2008226105.tif 000013
【図１２】
2008226105.tif 000014
【図１３】
2008226105.tif 000015
【図１４】
2008226105.tif 000016
【図１５】
2008226105.tif 000017
【図１６】
2008226105.tif 000018